(57)【特許請求の範囲】
【請求項１】
直流電力を商用電力系統と同期した所定の交流電力に変換する電力変換回路が筐体内に
収容された電力変換装置において、
前記筐体を引っ掛け係止する筐体係止部を上端部に有し家屋の壁に固定される取り付け
板と、
前記筐体は背面に前記筐体係止部に引っ掛け係止する係止受け部を備え、
前記取り付け板から突出し、前記電力変換回路のリアクトルが収容された側の前記筐体
の背面に当接し、前記家屋の壁と前記筐体との間を所定の間隔に維持する間隔保持用凸部
を備えた
ことを特徴とする電力変換装置の取り付け装置。
【請求項２】
直流電力を商用電力系統と同期した所定の交流電力に変換する電力変換回路が筐体内に
収容された電力変換装置において、
前記筐体を引っ掛け係止する筐体係止部を上端部に有し家屋の壁に固定される取り付け
板と、
前記筐体は、背面の上部に後方へ張り出し前記筐体係止部に引っ掛け係止する係止受け
部を備えると共に、前記背面の左右部分に前記係止受け部の張り出し高さと略等しく前記
背面の後方へ突出する筐体側凸部を備え、
前記取り付け板は、前記電力変換回路のリアクトルが収容された側の前記筐体側凸部に
当接する間隔保持用凸部を備え、
前記間隔保持用凸部と前記筐体側凸部の当接は、前記家屋の壁と前記筐体との間が所定
の間隔を維持する間隔保持部を構成する
ことを特徴とする電力変換装置の取り付け装置。
【請求項３】
前記係止受け部は前記筐体の背面の上部が後方へ張り出しにて形成された横長帯状部で
あり、
前記取り付け板は、前記筐体の背面に収まる大きさであって、前記筐体係止部は、前記
家屋の壁との間に前記係止受け部が挿入される間隔で以って前記取り付け板の上端部が前
方へ張り出す横長帯状部であり、
前記筐体は背面周縁部に、前記係止受け部の張り出し高さを覆うように前記背面よりも
後方へ突出する突出フランジを有することを特徴とする請求項１に記載の電力変換装置の
取り付け装置。
【請求項４】
前記係止受け部は前記筐体の背面の上部が後方へ張り出しにて形成された横長帯状部で
あり、
前記取り付け板は、前記筐体の背面に収まる大きさであって、前記筐体係止部は、前記
家屋の壁との間に前記係止受け部が挿入される間隔で以って前記取り付け板の上端部が前
方へ張り出す横長帯状部であり、
前記筐体は背面周縁部に、前記係止受け部の張り出し高さ及び前記筐体側凸部の突出高
さを覆うように前記背面よりも後方へ突出する突出フランジを有する
ことを特徴とする請求項２に記載の電力変換装置の取り付け装置。
【発明の詳細な説明】
【技術分野】
【０００１】
本発明は、太陽光などの再生可能エネルギーから得られた直流電力を交流電力に変換す
る電力変換装置の取り付け装置に関する。
【背景技術】
【０００２】
太陽光発電システム用の電力変換装置（パワーコンディショナと称する）は、その筐体
内に、太陽電池が発電する直流電力を入力として昇圧回路で昇圧し、商用電力系統と同期
した所定の交流電力にインバータ回路で変換し、この変換された交流電力を商用電力系統
へ重畳可能とする電力変換回路を収容している。
【０００３】
このようなパワーコンディショナの壁への取り付けは、取り付けネジ等が外部に露出せ
ず、取り付けが容易である方法として、家屋の壁に固定した取り付け板の上端部に、パワ
ーコンディショナの筐体の背面を係止し、吊り下げ状態に支持する取り付け構造が採用さ
れる（特許文献１）。
【先行技術文献】
【特許文献】
【０００４】
【特許文献１】特開２０１２−２３１６４３号公報
【発明の概要】
【発明が解決しようとする課題】
【０００５】
パワーコンディショナは、筐体内に収容した電力変換回路中にリアクトルを備える。こ
のリアクトルは、電力変換回路によるスイッチング動作に基づき発生する十数ＫＨｚの高
周波で振動する。特許文献１のような取り付け構造の場合、パワーコンディショナの筐体
と取り付け板または家屋の壁との空間が、筐体の背面の全体で略一定であれば、この高周
波振動が壁に伝達されるレベルが減衰され、この高周波振動に基づく壁の共振による不快
な雑音発生が抑制され、所期の静穏効果が得られる。
【０００６】
パワーコンディショナは、筐体内へ収容した電力変換回路中に重量物であるリアクトル
を備えており、これによって筐体の重心がこのリアクトル側へ偏る。このため、特許文献
１のような吊り下げ支持を行った場合、筐体が重心側へ傾き、筐体と家屋の壁との空間が
狭くなり、筐体の下部の一部が家屋の壁に線接触または面接触する状況が生じる。この場
合、リアクトルによる高周波振動が家屋の壁に伝達され、これによる家屋の壁との共振状
態において不快音を発することとなる。これは特に、パワーコンディショナを家屋内の壁
に設置する場合において、好ましくない。
【０００７】
本発明は、このような点に鑑み、家屋の壁に固定した取り付け板の上端部に、パワーコ
ンディショナの筐体の背面を係止し、吊り下げ状態に支持する取り付け構造において、取
り付け板に、リアクトルを収容した側の筐体の背面に当接する凸部を形成し、この凸部に
よって家屋の壁と筐体の背面との間に所定の間隔を保持し、リアクトルによる高周波振動
が家屋の壁に伝達されることによる不快音の発生を抑制する技術を提供する。
【課題を解決するための手段】
【０００８】
本発明は、直流電力を商用電力系統と同期した所定の交流電力に変換する電力変換回路
が筐体内に収容された電力変換装置において、前記筐体を引っ掛け係止する筐体係止部を
上端部に有し家屋の壁に固定される取り付け板と、前記筐体は背面に前記筐体係止部に引
っ掛け係止する係止受け部を備え、前記取り付け板から突出し前記電力変換回路のリアク
トルが収容された側の前記筐体の背面に当接し、前記家屋の壁と前記筐体との間を所定の
間隔に維持する間隔保持用凸部を備えた  ことを特徴とする。
【０００９】
本発明は、直流電力を商用電力系統と同期した所定の交流電力に変換する電力変換回路
が筐体内に収容された電力変換装置において、前記筐体を引っ掛け係止する筐体係止部を
上端部に有し家屋の壁に固定される取り付け板と、前記筐体は、背面の上部に後方へ張り
出し前記筐体係止部に引っ掛け係止する係止受け部を備えると共に、前記背面の左右部分
に前記係止受け部の張り出し高さと略等しく前記背面の後方へ突出する筐体側凸部を備え
、前記取り付け板は、前記電力変換回路のリアクトルが収容された側の前記筐体側凸部に
当接する間隔保持用凸部を備え、前記間隔保持用凸部と前記筐体側凸部の当接は、前記家
屋の壁と前記筐体との間が所定の間隔を維持する間隔保持部を構成することを特徴とする
。
【００１０】
本発明は、前記係止受け部は前記筐体の背面の上部が後方へ張り出しにて形成された横
長帯状部であり、前記取り付け板は、前記筐体の背面に収まる大きさであって、前記筐体
係止部は、前記家屋の壁との間に前記係止受け部が挿入される間隔で以って前記取り付け
板の上端部が前方へ張り出す横長帯状部であり、前記筐体は背面周縁部に、前記係止受け
部の張り出し高さを覆うように前記背面よりも後方へ突出する突出フランジを有すること
を特徴とする。
【００１１】
本発明は、前記係止受け部は前記筐体の背面の上部が後方へ張り出しにて形成された横
長帯状部であり、前記取り付け板は、前記筐体の背面に収まる大きさであって、前記筐体
係止部は、前記家屋の壁との間に前記係止受け部が挿入される間隔で以って前記取り付け
板の上端部が前方へ張り出す横長帯状部であり、前記筐体は背面周縁部に、前記係止受け
部の張り出し高さ及び前記筐体側凸部の突出高さを覆うように前記背面よりも後方へ突出
する突出フランジを有することを特徴とする。
【発明の効果】
【００１２】
本発明によれば、家屋の壁に固定した取り付け板の上端部に、パワーコンディショナの
筐体の背面を係止し、吊り下げ状態に支持する取り付け構造において、取り付け板に形成
した間隔保持用凸部によって、家屋の壁と筐体の背面との間が所定の間隔に維持される。
このため、取り付け板と筐体とは、間隔保持用凸部による小域接触の部分接触となり、こ
の部分での振動伝達量は少ない。また、家屋の壁と筐体の背面との間の所定の間隔が振動
伝達減衰空間の作用をなすため、リアクトルによる高周波振動が家屋の壁に伝達されるこ
とによる不快音の発生を抑制することができ、屋内設置式パワーコンディショナの取り付
けとして好ましいものとなる。
【００１３】
また本発明によれば、筐体の背面の左右部分に背面方向へ突出して取り付け板に当接す
る筐体側凸部を備え、取り付け板は、電力変換回路のリアクトルが収容された側の筐体側
凸部に当接する間隔保持用凸部を備え、間隔保持用凸部と筐体側凸部によって、家屋の壁
と筐体との間が所定の間隔を維持する。
このため、筐体と取り付け板が両凸部によって部分接触となり、筐体から取り付け板へ
の振動伝達量が少なく、更に、両凸部によって家屋の壁と筐体との間が所定の間隔を維持
するため、この間隔が振動伝達減衰空間の作用をなす。故に、リアクトルによる高周波振
動が家屋の壁に伝達されることによる不快音の発生を抑制することができ、屋内設置式パ
ワーコンディショナの取り付けとして好ましいものとなる。
また、取り付け板に形成する間隔保持用凸部の深さを規定範囲に収めることができ、凸
部を深くプレス加工する場合に生じる取り付け板の破損を防止できることとなる。
【００１４】
また、本発明は、係止受け部の張り出し高さを覆うように筐体の背面よりも後方へ突出
する突出フランジを形成するため、家屋の壁と筐体との隙間を狭くできる。この場合も、
間隔保持用凸部によって、家屋の壁と筐体の背面との間が所定の間隔に維持されるため、
リアクトルによる高周波振動が家屋の壁に伝達されることによる不快音の発生を抑制する
ことができ、屋内設置式パワーコンディショナの取り付けとして好ましいものとなる。
【００１５】
また、本発明は、筐体は背面周縁部に、係止受け部の張り出し高さ及び筐体側凸部の突
出高さを覆うように、背面よりも後方へ突出する突出フランジを有する。この場合も、家
屋の壁と筐体との隙間を狭くできると共に、間隔保持用凸部によって、家屋の壁と筐体の
背面との間が所定の間隔に維持されるため、リアクトルによる高周波振動が家屋の壁に伝
達されることによる不快音の発生を抑制することができ、屋内設置式パワーコンディショ
ナの取り付けとして好ましいものとなる。
【図面の簡単な説明】
【００１６】
【図１】本発明に係る電力変換装置の蓋体を開けたときの状態を示す正面視の説明図である。
【図２】本発明に係る電力変換装置の横断面による説明図である。
【図３】本発明に係る電力変換装置の回路構成図である。
【図４】本発明に係る電力変換装置の背面図である。
【図５】本発明に係る電力変換装置の取り付け板の背面図である。
【図６】本発明に係る電力変換装置と取り付け板との関係の説明図である。
【図７】本発明に係る電力変換装置が取り付け板に係止した状態の説明図である。
【図８】本発明に係る電力変換装置の筐体の後部と取り付け板との関係を断面で示す説明図である。
【図９】本発明に係る電力変換装置の筐体を取り付け板に係止した状態で筐体側凸部１７と間隔保持用凸部１８が当接した状態の説明断面図である。
【発明を実施するための形態】
【００１７】
本発明は、太陽光などの再生可能エネルギーから得られる直流電力を商用電力系統と同
期した所定の交流電力に変換する電力変換回路が筐体内に収容された電力変換装置におい
て、前記筐体を係止する筐体係止部を上端部に有し家屋の壁に固定される取り付け板と、
前記筐体は背面に前記筐体係止部に係止する係止受け部を備え、前記取り付け板から突出
し前記電力変換回路のリアクトルが収容された側の前記筐体の背面に当接し、前記家屋の
壁と前記筐体との間を所定の間隔に維持する間隔保持用凸部を備えた構成である。
以下にその実施例を図に基づき説明する。
【００１８】
図１及び図２に示すように、本発明の一実施形態に係る電力変換装置１は、再生可能エ
ネルギーから得られる直流電力を商用電力系統へ重畳可能な交流に変換する電力変換回路
ＩＮＶを構成する電気部品が筐体２内に収容されている。筐体２は、金属製の本体３と金
属製の蓋体４によって構成し、本体３は、鋼板の一方の面がカラー塗装されたカラー鋼板
で構成され、カラー塗装された面を外側として、上壁３Ａ、下壁３Ｂ、左壁３Ｃ、右壁３
Ｄ、及び背壁３Ｅで囲まれ前面開口を有する矩形状の箱を構成する。蓋体４は、鋼板の一
方の面がカラー塗装されたカラー鋼板で構成され、カラー塗装された面を外側とし、本体
３の前面開口を塞ぐように取り付けネジによって本体３に着脱自在に取り付ける。なお、
蓋体４は、本体３の左壁３Ｃまたは右壁３Ｄにヒンジによって開閉自在とすることもでき
る。
【００１９】
図３には電力変換回路ＩＮＶの構成を示しており、太陽電池ＰＶで発電した直流電力は
、直流用リアクトルＬ１、スイッチング素子Ｓ１、ダイオードＤ１、平滑用のコンデンサ
Ｃ１を含む昇圧回路ＢＳで所定電圧に昇圧され、昇圧回路ＢＳで昇圧した電力を複数のス
イッチング素子Ｓ２で構成する直流・交流変換回路ＤＡで商用電力系統ＧＲＩＤの周波数
に同期する疑似正弦波に変換し、交流用リアクトルＬ２、コンデンサＣ２を含むローパス
フィルタＬＰＦで高周波成分をカットまたは充分に減衰させた状態で、リレー接点ＲＹを
介して商用電力系統ＧＲＩＤへ出力する構成である。昇圧回路ＢＳ、直流・交流変換回路
ＤＡ及びリレー接点ＲＹは、制御回路ＣＰによって動作が制御される構成である。
【００２０】
本体３内には電力変換装置１の電力変換回路ＩＮＶが収容されており、図２に示すよう
に、電力変換回路ＩＮＶを構成する複数の電気回路部品６を取り付けるためのシャーシ５
が、本体３内で背壁３Ｅに並行配置となるように所定の間隔を存して背壁３Ｅに取り付け
られる。電気回路部品６はシャーシ５の前面側に取り付けたプリント配線基板７に配置さ
れる。電力変換回路ＩＮＶの中でスイッチング素子Ｓ１、Ｓ２は発熱して高温となるため
、その発熱を放散するために、一つまたは別個のパッケージに収容される形態でモジュー
ル化される。これをＩＰＭ（インテリジェントパワーモジュール）と称する。
【００２１】
ＩＰＭは、アルミニウム等の熱伝導良好なヒートシンク８に取り付ける。図２に示すよ
うに、ヒートシンク８は、基板部８Ａと基板部８Ａから左右に並行して上下方向に延出し
た複数の放熱フィン８Ｂを有し、放熱フィン８Ｂの中間部以下が本体３の背壁３Ｅに形成
する開口３Ｅ１に臨む状態で、本体３内でシャーシ５と背壁３Ｅとの間に位置するように
、背壁３Ｅにネジ等の固定具にて取り付ける。本体３の下壁３Ｂに放熱フィン８Ｂ間へ流
入する空気吸入孔が設けられ、本体３の上壁３Ａに放熱フィン８Ｂ間から流出する空気流
出孔が設けられる。放熱フィン８Ｂ間を流れる空気は、前記空気吸入孔及び開口３Ｅ１か
ら流入し、上昇して前記空気流出孔から流出する。
【００２２】
前記ＩＰＭは、その裏側のアルミニウム等の金属製放熱面が、ヒートシンク８の基板部
８Ａの前面に熱伝導状態にネジ等の固定具にて取り付けられ、ＩＰＭの発熱は、基板部８
Ａから放熱フィン８Ｂへ伝達され、放熱フィン８Ｂ間を上昇する空気によって放熱される
。
【００２３】
ダイオードＤ１も発熱が大きい場合は、ＩＰＭと同様に、パッケージに収容される形態
でモジュール化し、ヒートシンク８の基板部８Ａの前面に熱伝導状態に、ネジ等の固定具
にて取り付ける。なお、ダイオードＤ１は、ＩＰＭに含めてパッケージするようにすれば
、ヒートシンク８の基板部８Ａへの取り付け作業も容易となる。
【００２４】
図１及び図２に示すように、本体３内には、ヒートシンク８の隣りにリアクトル収容部
９を上下方向に設ける。電力変換回路ＩＮＶの中の直流用リアクトルＬ１と交流用リアク
トルＬ２は、リアクトル収容部９において、背壁３Ｅにネジ等の固定具にて取り付ける支
持板１０の前面側に、ネジ等の固定具にて上下配置状態に取り付ける。
【００２５】
図１及び図２に示すように、本体３内には、リアクトル収容部９の反対側に端子台１１
を配置するために、シャーシ５の一部を後方に窪ませた平坦な端子台配置部５Ａを形成し
ており、ここに端子台１１が取り付けられている。
端子台１１は、電力変換回路ＩＮＶと太陽電池ＰＶとの接続端子、電力変換回路ＩＮＶ
と商用電力系統ＧＲＩＤとの接続端子、アース端子、及び自立端子を含むものであり、端
子台１１と電力変換回路ＩＮＶとの接続線１３が、シャーシ５の一部の窓から視認できる
。
自立端子は、商用電力系統ＧＲＩＤが災害等により動作不能状態になったとき、太陽電
池ＰＶで発電した直流電力を電力変換回路ＩＮＶで変換した交流電力で以って、家屋内の
電気器具を動作させるための非常時用コンセント接続用である。
【００２６】
本体３の背壁３Ｅ及び下壁３Ｂには、太陽電池ＰＶ、商用電力系統ＧＲＩＤ、及び非常
時用コンセントとの配線が端子台１１に接続されるために、配線用開口１２が端子台１１
に対応して形成される。
【００２７】
筐体２は、家屋の略垂直配置の内壁Ｋに固定する取り付け板１５に引っ掛け方式で取り
付ける。以下、この取り付け構造について説明する。
図６及び図７に示すように、取り付け板１５は、正面視で筐体２から食み出ないように
、筐体２の背面に収まる大きさであって、筐体２が横長矩形状である場合、それに合わせ
るように横長矩形状をなす。図８及び図９に示すように、取り付け板１５は、家屋の壁Ｋ
にネジ１６にて取り付け、その取り付け状態において、壁Ｋとの間に所定間隔Ｓで左右及
び上方に開いた係止溝２０を形成するように筐体係止部１５Ａを屈曲形成する。筐体係止
部１５Ａは、上端部が前方へ少し屈曲し、壁Ｋとの間に略均一な前後幅Ｓの係止溝２０が
左右方向に略水平に延びる状態である。
【００２８】
取り付け板１５は、鋼板の一方の面がカラー塗装されたカラー鋼板で構成され、周縁部
を前方へ屈曲したフランジ１５Ｆを有する。フランジ１５Ｆの前方への突出高さは、ネジ
１６の頭部の厚さをカバーする高さであり、フランジ１５Ｆによって取り付け板１５は補
強される。尚、ネジ１６は皿ネジを用いれば頭部の厚さは小さくなるが、取り付け時に皿
ネジ以外のネジを現地手配した場合に対応するためにこの高さを構成している。取り付け
板１５の塗装されない面は導電性を有するため、アース接続することにより、電力変換装
置１から取り付け板１５へ漏電した時の感電の危険回避を図る。
【００２９】
一方、筐体２は、図４、図６〜図９に示すように、取り付け板１５の筐体係止部１５Ａ
に係止するために、筐体２の左右の中央部から左右に略均等に延びるように、本体３の背
壁３Ｅの上部に水平方向の係止受け部２Ｆを備える。係止受け部２Ｆは、略平坦な背壁３
Ｅの一部を左右方向に均一に後方へ張り出すように、背壁３Ｅから後方への突出長さＴ３
で以って切り起こし形成する。
【００３０】
図６〜図９に示すように、家屋の壁Ｋに固定した取り付け板１５に対し、筐体２の係止
受け部２Ｆを隙間Ｓの上方から筐体係止部１５Ａに引っ掛け係止する。このため、隙間Ｓ
は、係止受け部２Ｆの厚さと同等もしくは若干大きな寸法でもって、左右方向に均一な隙
間Ｓを形成している。筐体係止部１５Ａの上端１５Ａ１は、係止受け部２Ｆの挿入時のガ
イド作用と補強のために、前方へ屈曲している。
【００３１】
筐体２の背面が本体３の略平坦な背壁３Ｅのままである場合は、係止受け部２Ｆが筐体
２の後方へ長さＴ３だけ突出しており、筐体２の重心が筐体２の左右間の略中央部にある
場合は、筐体２の係止受け部２Ｆを取り付け板１５の筐体係止部１５Ａに係止した状態で
筐体２は左右バランスした係止状態となる。このため、筐体２の背壁３Ｅが取り付け板１
５及び壁Ｋから、係止受け部２Ｆの張り出し長さＴ３から取り付け板１５の板厚Ｔ４を差
し引いた長さＴ５の分だけ浮いた状態となり、筐体２の支持が不安定となる。
【００３２】
これを防止するために、図４、図６〜図９に示すように、筐体２は、本体の背壁３Ｅの
左右部分に、略前記長さＴ５で後方へ突出する筐体側凸部１７を備える。筐体側凸部１７
は背壁３Ｅを後方へプレス加工にて円形状、多角形状等に膨出形成する。筐体側凸部１７
は、取り付け板１５に対する筐体２の支持が安定するように、背壁３Ｅの左右部分に上下
位置関係に複数配置する。
【００３３】
これによって、筐体２の重心が筐体２の左右間の中央部にある場合は、筐体２の係止受
け部２Ｆを取り付け板１５の筐体係止部１５Ａに引っ掛け係止した状態で、係止受け部２
Ｆが家屋の壁Ｋに当接し、係止受け部２Ｆよりも下方の筐体２の背面である本体の背壁３
Ｅでは、筐体側凸部１７が取り付け板１５に当接する。この状態で、理想状態では、筐体
２は壁Ｋとの間に係止受け部２Ｆの張り出し長さＴ３と略同等の略均一な間隔を存して支
持が安定する。
【００３４】
このため、筐体２を取り付け板１５に係止した状態で、筐体２の側方から係止受け部２
Ｆや筐体側凸部１７や配線用開口１２を通る配線が視認でき、見栄えの悪い状態となる。
このため、筐体２の補強も兼ねて、この隙間を狭く見せるために、筐体２は背面周縁部に
後方へ突出する突出フランジ３Ｆを有する。
【００３５】
この突出フランジ３Ｆは、本体３の上壁３Ａの後端周縁部、左右壁３Ｃ及び３Ｄの後端
周縁部と、背壁３Ｅの周縁部との重合状態にて形成され、突出フランジ３Ｆの背壁３Ｅか
ら後方へ張り出す長さ（突出長さ）Ｔ２は、筐体２の側方から見える隙間を狭く見せるた
めに、係止受け部２Ｆと筐体側凸部１７を側方から覆う程度に突出する。この場合、前記
Ｔ２は前記Ｔ３よりも若干短くすることにより、筐体２を取り付け板１５に係止した状態
で、突出フランジ３Ｆが壁Ｋから僅かに離れた状態となる。
これは、後述のように、交流用リアクトルＬ２への通電によって生じる高周波振動が家
屋の壁Ｋに伝わらないための間隔である。
【００３６】
図１及び図２に示すように、直流用リアクトルＬ１と交流用リアクトルＬ２は重量物で
あるため、筐体２の重心バランスを考慮すれば、筐体２内の左右に分散配置すればよいが
、放熱や、取り付けコストの低減や、端子台１１に対する配線等の関係から、端子台１１
とは反対側となる筐体２の一方側にリアクトル収容部９を設け、ここに収容する。
【００３７】
上記のように筐体２を筐体係止部１５Ａに引っ掛け支持する構成であるため、取り付け
板１５に対して筐体２が前後方向に多少動く。特に、筐体２の下端部が前後方向に動く幅
が大きい。筐体２に収容した電力変換回路ＩＮＶのうち、直流用リアクトルＬ１と交流用
リアクトルＬ２の重量が大であるため、筐体２の重心がリアクトル収容部９側に偏る。こ
のため、筐体２を筐体係止部１５Ａに引っ掛け支持した状態で、リアクトル収容部９側の
筐体２の下端コーナ部が家屋の壁Ｋに近接または当接する場合がある。
これは、突出フランジ３Ｆを形成しない場合も同様であるが、特に、上記のように、筐
体２と壁Ｋとの間の見栄えの悪い隙間を塞ぐように、突出フランジ３Ｆを形成する場合は
、その懸念が更に増す。
【００３８】
直流用リアクトルＬ１と交流用リアクトルＬ２のうち、特に交流用リアクトルＬ２は通
電によって十数ＫＨｚの高周波の振動を生じるため、この振動が筐体２に伝わり筐体２が
振動する。この場合、筐体２の下端コーナ部が家屋の壁Ｋに当接すれば壁Ｋが振動し、共
振が生じた場合は、人が不快を感じる振動音となって現れる。
【００３９】
本発明は、これを防止するために、筐体２が壁Ｋとの間に所定の間隔を保つように、取
り付け板１５と筐体２の関係を保ち、この間隔に振動の伝播減衰空間の作用を持たせるよ
うにする。
以下、その構成について説明する。
【００４０】
図５〜図７、図９に示すように、取り付け板１５は、取り付け板１５から前方へ突出し
、リアクトル収容部９側の筐体２の背面である本体３の背壁３Ｅに当接し、家屋の壁Ｋと
筐体２との間を所定の間隔Ｐに維持する間隔保持用凸部１８を備える。間隔保持用凸部１
８は取り付け板１５を前方へプレス加工にて円形状、多角形状等に膨出形成する。
【００４１】
筐体２の背面に後方へ突出する筐体側凸部１７を備える場合は、図７及び図９に示すよ
うに、リアクトル収容部９側の筐体側凸部１７（図７及び図９に括弧内に示す筐体側凸部
１７Ｋ）に当接するように、取り付け板１５に間隔保持用凸部１８を形成する。この場合
、リアクトル収容部９側の筐体側凸部１７（１７Ｋ）と間隔保持用凸部１８との当接によ
り、家屋の壁Ｋと筐体２との間を所定の間隔Ｐに維持する。このため、筐体側凸部１７（
１７Ｋ）と間隔保持用凸部１８との当接は、家屋の壁Ｋと筐体２との間が所定の間隔Ｐを
維持する間隔保持部を構成する。
【００４２】
筐体２と取り付け板１５が筐体側凸部１７と間隔保持用凸１８によって部分接触となり
、筐体２から取り付け板１５への振動伝達量が少なくなる。更に、筐体側凸部１７（１７
Ｋ）と間隔保持用凸部１８によって家屋の壁Ｋと筐体２との間が所定の間隔Ｐを維持する
ため、この間隔Ｐによって形成される家屋の壁Ｋと筐体２の背壁３Ｅとの間の空間が、振
動伝達減衰空間の作用をなす。
【００４３】
この技術は、筐体側凸部１７Ｋと間隔保持用凸部１８を備え、且つ、突出フランジ３Ｆ
を形成する場合において、家屋の壁Ｋと筐体２との間を所定の間隔Ｐに維持することが効
果的である。
【００４４】
また、筐体側凸部１７Ｋと間隔保持用凸部１８との当接構成とするため、取り付け板１
５に形成する間隔保持用凸部の深さを規定範囲に収めることができ、凸部を深くプレス加
工する場合に生じる取り付け板１５の破損を防止できることとなる。
【００４５】
このように、家屋の壁Ｋに固定した取り付け板１５の上端部に、パワーコンディショナ
の筐体２の背面を係止し、吊り下げ状態に支持する取り付け構造において、取り付け板１
５に形成した間隔保持用凸部１８によって、家屋の壁Ｋと筐体２との間が所定の間隔Ｐに
維持される。
【００４６】
取り付け板１５に筐体２を吊り下げ支持した状態で、取り付け板１５と筐体２との間は
、筐体側凸部１７による部分接触となり、この部分での振動伝達量は少ない。特に、リア
クトル収容部９側では、筐体２と取り付け板１５とは、筐体側凸部１７（１７Ｋ）と間隔
保持用凸部１８との当接による部分接触となり、この部分での振動伝達量は少ない。この
ように接触面積が小さい程、振動伝達量の減衰効果が大きい。また、所定の間隔Ｐによっ
て、筐体２の背壁３Ｅと家屋の壁Ｋとの間に空間が形成され、これが振動伝達減衰空間の
作用をなす。このため、電力変換回路のリアクトルによる高周波振動が家屋の壁Ｋに伝達
されることによる不快音の発生を抑制することができ、特に屋内設置式パワーコンディシ
ョナの取り付けとして好ましいものとなる。
【００４７】
なお、筐体側凸部１７を備えない場合は、この間隔保持用凸部１８が筐体２の背面であ
る本体３の背壁３Ｅに直接当接し、家屋の壁Ｋと筐体２との間が振動伝達減衰空間作用を
成す所定の間隔に維持する。即ち、筐体２と取り付け板１５が間隔保持用凸部１８によっ
て部分接触となり、筐体２から取り付け板１５への振動伝達量が少なく、更に、間隔保持
用凸部１８によって家屋の壁Ｋと筐体２との間が所定の間隔を維持するため、筐体２の背
面である本体３の背壁３Ｅと壁Ｋとの間の空間が、振動伝達減衰空間の作用をなす。
【００４８】
筐体２の背面側の突出フランジ３Ｆは、形成しない形態でもよい。このため、本発明の
技術は、筐体側凸部１７の存在の有無に係らず、また突出フランジ３Ｆの有無に係らず、
電力変換回路のリアクトルが収容された側の筐体２の背面に当接し、家屋の壁Ｋと筐体２
との間を所定の間隔に維持する間隔保持用凸部１８を備えることにより、家屋の壁Ｋと筐
体２との間に、振動伝達減衰空間を形成することができる。
【００４９】
なお、間隔保持用凸部１８と背壁３Ｅの当接、または間隔保持用凸部１８と筐体側凸部
１７の当接によって、家屋の壁Ｋと筐体２との間が所定の間隔に維持され、その状態を保
持するように、取り付け板１５の一部と筐体２の一部をネジ固定する構成とすれば、筐体
の振動によって、これらの当接部分で異音が発生することを防止できる。
【符号の説明】
【００５０】
１・・・・・電力変換装置
２・・・・・筺体
２Ｆ・・・・係止受け部
３・・・・・本体
３Ｂ・・・・下壁
３Ｅ・・・・背壁
３Ｆ・・・・突出フランジ
４・・・・・蓋体
５・・・・・シャーシ
６・・・・・電気回路部品
８・・・・・ヒートシンク
９・・・・・リアクトル収容部
１１・・・・端子台
１２・・・・配線用開口
１５・・・・取り付け板
１５Ａ・・・筐体係止部
１７・・・・筐体側凸部
１８・・・・間隔保持用凸部
２０・・・・係止溝
Ｌ１・・・・直流用リアクトル
Ｌ２・・・・交流用リアクトル
Ｐ・・・・・間隔
【図１】
0006643573.tif 000002
【図２】
0006643573.tif 000003
【図３】
0006643573.tif 000004
【図４】
0006643573.tif 000005
【図５】
0006643573.tif 000006
【図６】
0006643573.tif 000007
【図７】
0006643573.tif 000008
【図８】
0006643573.tif 000009
【図９】
0006643573.tif 000010